(57)【要約】【課題】構造が簡素で部品点数が少なく、複雑化、大型化を招くことなく必要な強度を有し、少ない工程で短時間に位置精度よく接続、組立が可能である電力ケーブル接続装置を提供する。【解決手段】電力ケーブル接続装置１は、ゴムブロックユニット１０と、ゴムブロックユニットの内部に固定されたメス側接続端子１１と、電力ケーブル３０の導体３１の端部に固定されるオス側接続端子１２と、メス側接続端子のオス側接続端子が挿入される凹部１１ａの側壁１１ｂ２に同凹部内に突出するように保持されたロックピン１３とを備える。オス側接続端子の外周面にロック溝１２ａが形成されており、オス側接続端子の挿入により電気的に接続するとともに、ロックピンがオス側接続端子（の案内面１２ｂ）に接触してゴムブロックユニットを弾性変形させつつ引き込んだ後、ゴムブロックユニットの弾性力によりロック溝に落とし込まれて機械的に連結する。【選択図】図２
2016059193.tif 000002
【特許請求の範囲】
【請求項１】
ゴムブロックユニットと、
前記ゴムブロックユニットの内部に固定されたメス側接続端子と、
電力ケーブルの導体の端部に固定されるオス側接続端子とを備える接続構造であって、
前記メス側接続端子の側面に貫通孔を有し、
前記貫通孔にロックピンを保持し、
前記オス側接続端子の外周面にロック溝を有し、
前記ゴムブロックの弾性力により前記ロック溝に前記ロックピンが落とし込まれることで前記オス側接続端子と前記メス側接続端子が機械的に連結する機構を有した電力ケーブル接続装置。
【発明の詳細な説明】
【技術分野】
【０００１】
本発明は、電力ケーブル接続装置に関する。
【背景技術】
【０００２】
従来、電力ケーブル同士の接続には、拡径保持材によって拡径されたゴムブロックユニットに一方の電力ケーブルを挿通し先端部を延出させて他方の電力ケーブルと導体同士を接続した後、その導体接続部がゴムブロックユニット内に収まるようにゴムブロックユニットを規定の位置にスライドさせ、さらに拡径保持材を引き抜くことでゴムブロックユニットを収縮させて装着し、主絶縁を形成する方法が一般的に用いられている。
以上のようなゴムブロックユニットによる主絶縁形成後に、遮蔽処理、保護管組立、防食処理、防水コンパウンドの注入等の処理を施していた。
【０００３】
以上のゴムブロックユニットは、電力ケーブルの導体接続部に対し規定の位置に精度よく装着されることが求められる。しかし、従来の一般的な方法では、電力ケーブルの接続現場においてマーキング作業が重要になり、長時間を要する作業工程が求められるほか、その作業にミスが生じるおそれもある。
また、ゴムブロックユニットを精度よく装着できたとしても、ゴムブロックユニットはゴムの収縮力のみで電力ケーブルに固定されているため、電力ケーブルの熱挙動により電力ケーブルに対して軸方向にずれるおそれがあり、それにより絶縁破壊が生じるおそれがある。
【０００４】
特許文献１及び２に記載の発明にあっては、導体接続管とゴムブロックユニットの内部電極やケーブル絶縁体とゴムブロックユニットの内部電極との間で相補的な凹凸形状を構成して嵌め合わせることで、電力ケーブルとゴムブロックユニットとの相対位置のずれを阻止しようとする。
特許文献３には、ゴムブロックユニットとの固定ではないが、ケーブル絶縁体のシュリンクバック防止策として、円筒状導体カバーに設けた孔を通して釘又はネジをケーブル絶縁体に打ち込んで（ねじ込んで）固定する方法が記載されている。
【０００５】
一方、特許文献４，５，６には、挿し込み式による電力ケーブルの接続方法が記載されている。
特に特許文献４，６には電力ケーブルの位置ずれを防止する機構が記載される。
特許文献４には、電力ケーブルの回転を防止すると共に電力ケーブルの抜けを防止することを目的とした機構が記載されている。かかる機構にあっては、絶縁ユニット内の埋込金具（メス端子）の挿入部に回転防止用溝（同文献中符号９７）と引き抜け防止用の部分的な内フランジ（同文献中符号９８）を形成する一方、電力ケーブルの導体端部に圧縮接続した導体接続管（オス端子）に回転防止用突起（同文献中符号１１１）を形成し、回転防止用溝に回転防止用突起を挿入して電力ケーブルの回転を防止するとともに、導体接続管に回転可能に係合する固定金具（同文献中符号９０）を回転させて同固定金具に形成された部分的な外フランジ（同文献中符号６３）を上記部分的な内フランジに係合させることで電力ケーブルの抜けを防止するようにロックする。固定金具の回転は止めビスなどで固定される。
特許文献６に記載の機構にあっては、電力ケーブルの端部の端子に径方向に押し出されるようにバネで付勢されたつめ（同文献中符号３）が設けられ、電力ケーブルの挿入に伴いこのつめがゴムブロックユニット内に固定された結合ブッシュ等に形成された窪み（同文献中符号７）に嵌め入れられることで固定する。
【先行技術文献】
【特許文献】
【０００６】
【特許文献１】特開２００９−１０６０１４号公報
【特許文献２】特開平０９−２３８４２２号公報
【特許文献３】特開２００２−０９５１２４号公報
【特許文献４】特開２００１−２３１１４６号公報
【特許文献５】特開平０７−２１２９５３号公報
【特許文献６】特表平０４−５０５２４６号公報
【発明の概要】
【発明が解決しようとする課題】
【０００７】
電力ケーブル接続装置にあっては、構造が簡素で部品点数が少なく、複雑化、大型化を招くことなく必要な強度を有し、少ない工程で短時間に位置精度よく接続、電力ケーブル接続部の組立が可能であることが望まれる。
このような要求事項を考慮すると、上述した一般的な方法より挿し込み式による電力ケーブルの接続が好ましい。
しかし、特許文献４に記載の発明によると、オス端子やメス端子の構造が複雑化するとともに、固定金具やこの固定金具を固定するビスなど部品点数が多くなり、電力ケーブルを挿入した後に固定金具を回転させる工程、ビス止めする工程などの作業を要する。
特許文献６に記載の発明によると、つめやバネなど部品点数が多くなり、電力ケーブルの端部の端子につめやバネを取り付けるための空洞が必要となり、複雑化、大型化を招くことなく必要な強度を有することが難しい。
【０００８】
本発明は以上の従来技術における問題に鑑みてなされたものであって、構造が簡素で部品点数が少なく、複雑化、大型化を招くことなく必要な強度を有し、少ない工程で短時間に位置精度よく接続、電力ケーブル接続部の組立が可能である電力ケーブル接続装置を提供することを課題とする。
【課題を解決するための手段】
【０００９】
以上の課題を解決するための請求項１記載の発明は、ゴムブロックユニットと、
前記ゴムブロックユニットの内部に固定されたメス側接続端子と、
電力ケーブルの導体の端部に固定されるオス側接続端子とを備える接続構造であって、
前記メス側接続端子の側面に貫通孔を有し、
前記貫通孔にロックピンを保持し、
前記オス側接続端子の外周面にロック溝を有し、
前記ゴムブロックの弾性力により前記ロック溝に前記ロックピンが落とし込まれることで前記オス側接続端子と前記メス側接続端子が機械的に連結する機構を有した電力ケーブル接続装置である。
【発明の効果】
【００１０】
本発明によれば、ロックピンがロック溝に落とし込まれることで位置精度の確保、抜け防止機能が発揮され、ロックピンを付勢する弾性体はゴムブロックユニットが兼ねており、オス側接続端子にはロックピンを落とし込むロック溝を外周面に形成すればよく、オス側接続端子が導体端部に固定された電力ケーブルを、メス側接続端子が設置されたゴムブロックユニットの内部空間に挿入するのみで電気的接続とともに、位置決め及び抜け防止機能を持った機械的連結が完了するので、構造が簡素で部品点数が少なく、複雑化、大型化を招くことなく必要な強度を有し、少ない工程で短時間に位置精度よく接続、電力ケーブル接続部の組立が可能である。
【図面の簡単な説明】
【００１１】
【図１】本発明の一実施形態に係る電力ケーブル接続装置を適用した電力ケーブル接続部の軸方向断面図である。
【図２】本発明の一実施形態に係る電力ケーブル接続装置による接続の過程を示す接続工程図である。
【図３】本発明の一実施形態に係る電力ケーブル接続装置に含まれるメス側接続端子の正面図(a)及び側面図(b)である。
【発明を実施するための形態】
【００１２】
以下に本発明の一実施形態につき図面を参照して説明する。以下は本発明の一実施形態であって本発明を限定するものではない。
【００１３】
本発明の一実施形態における電力ケーブル接続装置１を適用した電力ケーブル接続部１００の軸方向断面図を図１に示す。図２に電力ケーブル接続装置１の要部が示される。本実施形態の電力ケーブル接続装置１は、２つの電力ケーブル３０，３０同士を接続する用途に構成されており、図２に示す主要構成は左右対称に構成されている。
【００１４】
さて、本実施形態の電力ケーブル接続装置１は、ゴムブロックユニット１０と、ゴムブロックユニット１０の内部に固定されたメス側接続端子１１と、電力ケーブル３０の導体３１の端部に固定されるオス側接続端子１２と、メス側接続端子１１のオス側接続端子１２が挿入される凹部１１ａの側壁１１ｂ２に保持されたロックピン１３とを備えて構成される。さらにメス側接続端子１１及びロックピン１３の詳細を図３に示した。  
本実施形態においてロックピン１３は、軸部１３ａと、これより大径のヘッド部１３ｂとを有した構造が採用されており、側壁１１ｂ２に径方向（側壁１１ｂ２の厚み方向）に形成された貫通孔１４に挿入されて軸部１３ａが凹部１１ａ内に突出するように保持されている。
軸部１３ａが径方向外方に押されたならば、ヘッド部１３ｂがゴムブロックユニット１０の内周面を押圧して弾性変形させ、ゴムブロックユニット１０の弾性力が凹部１１ａの内側（径方向内方）に軸部１３ａを押し返すように作用するように構成されている。
図３に示すように複数のロックピン１３が側壁１１ｂ２の円周に沿って等間隔に配置されている。ロックピン１３を複数とする場合は等間隔に配置することが好ましい。
【００１５】
一方、オス側接続端子１２の外周面にロック溝１２ａ、案内面１２ｂ、マルチコンタクトバンド１２ｃが形成されている。
マルチコンタクトバンド１２ｃの後方に案内面１２ｂが形成され、案内面１２ｂの後方にロック溝１２ａが形成されている。ここで、後方とはオス側接続端子１２の先端方向に対する逆方向である。
メス側接続端子１１の凹部１１ａは、奥側の側壁１１ｂ１により囲まれた空間に、マルチコンタクトバンド１２ｃが設けられたオス側接続端子１２の先端部を受け容れる。これにより電気的接続が確保される。
ロックピン１３が保持される開口側の側壁１１ｂ２の内径は、奥側の側壁１１ｂ１の内径よりが大径にされている。ヘッド部１３ｂが側壁１１ｂ２に押し付けられたときロックピン１３の軸部１３ａの先端が奥側の側壁１１ｂ１の内径範囲より外側に配置されることにより、オス側接続端子１２をメス側接続端子１１に挿入する時のマルチコンタクトバンド１２ｃとロックピン１３との干渉が防がれる。
【００１６】
次に図２(a)→(b)→(c)に沿って接続方法や接続機構につき説明する。
ゴムブロックユニット１０には、オス側接続端子１２が固定された電力ケーブル３０を受け容れメス側接続端子１１まで案内する空間及び開口が形成された構造である。
まず、電力ケーブル３０，３０の接続作業現場に、ロックピン１３及びメス側接続端子１１が組み込まれたゴムブロックユニット１０と、オス側接続端子１２，１２を持ち込む。
電力ケーブル３０，３０を段剥ぎ、導体口出し、外導削り、鏡面処理等必要な処理を施し、その導体３１の端部にそれぞれオス側接続端子１２を圧着(油圧ダイスによる圧縮接続など)する。
【００１７】
次に、図２(a)に示すようにオス側接続端子１２が固定された電力ケーブル３０を、メス側接続端子１１が設置されたゴムブロックユニット１０の内部空間に挿入する。
この挿入の進行により、案内面１２ｂがロックピン１３の軸部１３ａに接触する。案内面１２ｂは、後方ほど大径となるようにテーパー状に形成されている。したがって、さらに電力ケーブル３０を押し込むことにより、図２(b)に示すようにロックピン１３は案内面１２ｂにより径方向外方に押し出され、すなわち、軸部１３ａが引き込む。このとき、ゴムブロックユニット１０はロックピン１３のヘッド部１３ｂに押圧されて弾性変形し、弾性エネルギーを蓄えている状態である。
【００１８】
さらに電力ケーブル３０を押し込むことにより、ロックピン１３の軸部１３ａの位置までロック溝１２ａが達し、図２(c)に示すようにロックピン１３の軸部１３ａがゴムブロックユニット１０の弾性力によりロック溝１２ａに落とし込まれる。これによりオス側接続端子１２をメス側接続端子１１から引抜き困難となるようにメス側接続端子１１に機械的に連結する。
それとともに、図２(b)→(c)のようにマルチコンタクトバンド１２ｃを有したオス側接続端子１２の先端部が、奥側の側壁１１ｂ１により囲まれた空間に嵌め入れられて接続のための規定の位置（図２(c)）に配置され、メス側接続端子１１とオス側接続端子１２とが電気的に接続する。
また、ゴムブロックユニット１０の収縮力により、メス側接続端子１１より開口側のゴムブロックユニット１０の内周面と電力ケーブル３０の外周面とが密着する。
【００１９】
電力ケーブル３０，３０の接続作業現場に持ち込む電力ケーブル接続装置としては、ゴムブロックユニット１０に対し、図１に示す金属遮蔽層２２、圧着端子２３、保護管２４（２４ａ，２４ｂ）、緩衝材２５(コンパウンド,シリコーンゲル,非鉄ウールなど)、防食層２６ａ，２６ｂが施されたものとすることで、現場の作業効率を向上することができる。
この場合、図１に示す電力ケーブル接続部１００の完成までの工程は次の通りである。
上述したように一方の電力ケーブル３０（オス側接続端子１２が付いている）をゴムブロックユニット１０に挿入して接続し、さらにもう一方の電力ケーブル３０（オス側接続端子１２が付いている）を他端開口からゴムブロックユニット１０に挿入して接続する。
その後、金属遮蔽層２２と、電力ケーブル３０の金属遮蔽層３２とを圧着端子２３で接続する。
最後に熱収縮チューブ２７や防食テープ２８により保護管２４の端部と電力ケーブル３０の防食層３３との間をつないで遮水性能及び防食性能を確保する。これには従来の電力ケーブル接続部と同様の技術が適用可能である。なお、本実施形態では比較的長い保護管２４ａと、比較的短い保護管２４ｂとを軸方向に接続して保護管２４全体が構成される。
【００２０】
以上の本実施形態の電力ケーブルの接続装置によれば、ロックピン１３がロック溝１２ａに落とし込まれることで位置精度の確保、抜け防止機能が発揮され、ロックピン１３を付勢する弾性体はゴムブロックユニット１０が兼ねており、オス側接続端子１２にはロックピン１３を落とし込むロック溝１２ａを外周面に形成すればよく、オス側接続端子１２が導体３１端部に固定された電力ケーブル３０を、メス側接続端子１１が設置されたゴムブロックユニット１０の内部空間に挿入するのみで電気的接続とともに、位置決め及び抜け防止機能を持った機械的連結が完了する。したがって、構造が簡素で部品点数が少なく、複雑化、大型化を招くことなく必要な強度を有し、少ない工程で短時間に位置精度よく接続、電力ケーブル接続部の組立が可能である。
【００２１】
拡径保持材によって拡径されたゴムブロックユニットに一方の電力ケーブルを挿通し電力ケーブル同士を接続してからゴムブロックユニットを移動させる従来の方法に比較して、大幅に工程を削減することができる。従来のように拡径保持材を使用した場合は、ゴムブロックユニットの塑性変形や応力緩和により電力ケーブルの外周面を押圧する面圧の低下が問題となり、拡径保持材を廃棄処理しなければならないが、本実施形態によれば拡径保持材を使用しないので、この面圧の低下を防ぐことができ、さらに拡径保持材の引抜き作業の負担、拡径保持材の引抜きによる外傷のリスクもなく、廃棄処理も不要である。
ゴムブロックユニット１０に対する電力ケーブル３０の配置を位置精度よく確保するために、マーキングの作業は不要であり、ミスなく規定の位置に電力ケーブル３０を配置することが容易である。
【００２２】
挿し込み（スリップオン）による電力ケーブルの接続方式を採用し、接続端子にはマルチコンタクト方式を採用するので、低接触抵抗の接続が可能であるとともに着脱が容易であり、解体再接続時にはゴムブロックユニット１０を割いてロックピン１３をメス側接続端子１１から引き抜くことでロックピン１３によるロックが解除されるので、その後、電力ケーブルを取り外すことができる。
特に、ロックピン１３及びロック溝１２ａによるロック機構は、ゴムブロックユニット１０の弾性を活用したものであり、より複雑な機構に比べてコスト面、コンパクト化において有効である。
【符号の説明】
【００２３】
１     電力ケーブル接続装置
１０   ゴムブロックユニット
１１   メス側接続端子
１２   オス側接続端子
１２ａ ロック溝
１３   ロックピン
１４   貫通孔
３０   電力ケーブル
３１   導体
１００ 電力ケーブル接続部
【図１】
2016059193.tif 000003
【図２】
2016059193.tif 000004
【図３】
2016059193.tif 000005